(57)【要約】【課題】菓子ケーキ類や玩具装飾品などを収容する、板紙製や段ボール紙製などの、上面を広く開放することができるために、収容した商品を顧客が取出し易い、しかも収容した商品を顧客へアピールする展示効果などが優れたトップオープン式の紙箱を提供する。【解決手段】前後の折込み片２１ ,２１と左右の上面貼着片２２ ,２２とを、左右の上面貼着片２２ ,２２の間は空隙開口ｃを介して、それぞれ切れ目線ｄ ,ｄを介して連設して成る上面内板２であって、凸状辺ｆを有する繋止開口ｅを設けた左上面板６と側面貼着片８ ,８を連設した左側面板４と底面板３と側面貼着片８ ,８を連設した右側面板４と凸状湾曲辺ｂを有する右上面板７とを連設して、この底面板３の前後辺に、逆台形状の前側面板５と折込み貼着片９とを、また逆台形状の後側面板５と前記の上面内板２とを、それぞれ連設したトップオープン式の紙箱。【選択図】図３
2005186982.tif 000002
【特許請求の範囲】
【請求項１】
表面側に、少なくとも表面層を切断した円形状などの半切れ線で区画した、それぞれ複数個の貼着部ａ ,ａ ,ａ ,…を設けた前後の折込み板１ ,１であって、左上面板６と側面貼着片８ ,８を連設した左側面板４と底面板３と側面貼着片８ ,８を連設した右側面板４と右上面板７とを、それぞれ折り目線を介して順に連設して、この底面板３の前後辺に、前後の側面板５ ,５と前記の前後の折込み板１ ,１とを、それぞれ折り目線を介して順に連設して、左右の側面板４ ,４の側面貼着片８ ,８ ,８ ,８と前後の側面板５ ,５とを貼着してトレー状に製箱した後に、前記の複数個の貼着部ａ ,ａ ,ａ ,…を設けた前後の折込み板１ ,１を折込んで、左右の上面板６ ,７を被せて、この左右の上面板６ ,７の内面側に、前後の折込み板１ ,１の複数個の貼着部ａ ,ａ ,ａ ,…を貼着したことを特徴とするトップオープン式の紙箱。
【請求項２】
請求項１に記載のトップオープン式の紙箱において、底面板３の前後辺に、逆台形状の前後の側面板５ ,５と前記の前後の折込み板１ ,１とを、それぞれ折り目線を介して順に連設したことを特徴とするトップオープン式の紙箱。
【請求項３】
前後の折込み片２１ ,２１と左右の上面貼着片２２ ,２２とを、左右の上面貼着片２２
,２２の間は空隙開口ｃを介して、それぞれ切れ目線ｄ ,ｄを介して連設して成る上面内板２であって、左上面板６と側面貼着片８ ,８を連設した左側面板４と底面板３と側面貼着片８ ,８を連設した右側面板４と右上面板７とを、それぞれ折り目線を介して順に連設して、この底面板３の前後辺に、前側面板５と折込み貼着片９とを、また後側面板５と前記の上面内板２とを、それぞれ折り目線を介して順に連設して、左右の側面板４ ,４の側面貼着片８ ,８ ,８ ,８と前後の側面板５ ,５とを貼着してトレー状に製箱した後に、前記の前後の折込み片２１ ,２１と左右の上面貼着片２２ ,２２とを連設して成る上面内板２を被せて、この上面内板２の前折込み片２１と折込み貼着片９とを貼着して、また左右の上面板６ ,７を被せて、この左右の上面板６ ,７の内面側に、上面内板２の左右の上面貼着片２２ ,２２を貼着したことを特徴とするトップオープン式の紙箱。
【請求項４】
請求項３に記載のトップオープン式の紙箱において、底面板３の前後辺に、逆台形状の前側面板５と折込み貼着片９とを、また逆台形状の後側面板５と前記の上面内板２とを、それぞれ折り目線を介して順に連設したことを特徴とするトップオープン式の紙箱。
【請求項５】
請求項１から請求項４のどれかに記載のトップオープン式の紙箱において、左上面板６と側面貼着片８ ,８を連設した左側面板４と底面板３と側面貼着片８ ,８を連設した右側面板４と凸状湾曲辺ｂを有する右上面板７とを、それぞれ折り目線を介して順に連設して、この左上面板６の、左右の上面板６ ,７を被せた時の右上面板７の凸状湾曲辺ｂに相当する位置に、凸状辺ｆを有する繋止開口ｅを設けたことを特徴とするトップオープン式の紙箱。
【発明の詳細な説明】
【技術分野】
【０００１】
本発明は、菓子ケーキ類や玩具装飾品などを収容する、板紙製や段ボール紙製などの、上面を広く開放することができる、展示効果などが優れたトップオープン式の紙箱に関する。
【背景技術】
【０００２】
従来から、菓子ケーキ類や玩具装飾品などを収容する、例えば図６に示すような、左側面板３４と底面板３３と右側面板３４と上面蓋板３０と側面蓋板３６とを、それぞれ折り目線を介して順に連設して、この底面板３３の前後辺に、前後の側面板３５ ,３５と前後の折込み板３１ ,３１とを、それぞれ折り目線を介して順に連設して成る、板紙製や段ボール紙製などの、側面蓋板３６と上面蓋板３０とを開蓋することによって、上面を広く開放することができる、通常形状のトップオープン式の紙箱が、一般に最も広く用いられている。
【０００３】
また従来から、菓子ケーキ類や玩具装飾品などを収容する、図７に示すような、左上面内板３２と左側面板３４と底面板３３と右側面板３４と右上面内板３２とを、それぞれ折り目線を介して順に連設して、この底面板３３の前辺に、前側面板３５と大きく開口した上面板３０と後側面板３５とを、それぞれ折り目線を介して順に連設して成る、板紙製や段ボール紙製などの、左右の側面板３４ ,３４のつまみｇ ,ｇを引張ることによって、上面内板３２ ,３２が左右にスライドして開口することができる、新規形状のトップオープン式の紙箱( 特許文献１ )が、一般に用いられている。
【特許文献１】実開昭４９−９６４９号公報
【発明の開示】
【発明が解決しようとする課題】
【０００４】
ところが従来の、図６に示す通常形状のトップオープン式の紙箱については、側面蓋板３６と上面蓋板３０とを開蓋して、図６Ｂに示すように、上面を広く開放することができるために、収容した商品を顧客が取出し易いものの、一般に最も広く用いられている通常形状であるために、収容した菓子ケーキ類や玩具装飾品などを、顧客へアピールする展示効果などが劣ることが問題であった。
【０００５】
また従来の、図７に示す新規形状のトップオープン式の紙箱については、左右の側面板３４ ,３４のつまみｇ ,ｇを引張って、図７Ｂに示すように、上面内板３２ ,３２が左右にスライドして開口することができるために、収容した商品を顧客へアピールする展示効果などが優れているものの、上面の前後左右に、大きく開口した上面板３０の周囲の枠が残っているために、収容した菓子ケーキ類や玩具装飾品などを、顧客が取出し難いことが問題であった。
【０００６】
そこで、本発明の目的は、菓子ケーキ類や玩具装飾品などを収容する、板紙製や段ボール紙製などの、上面を広く開放することができるために、収容した商品を顧客が取出し易い、しかも収容した商品を顧客へアピールする展示効果などが優れたトップオープン式の紙箱を提供することにある。
【課題を解決するための手段】
【０００７】
本発明の請求項１に記載のトップオープン式の紙箱は、表面側に、少なくとも表面層を切断した円形状などの半切れ線で区画した、それぞれ複数個( 図１では４個、以下同じ )
の貼着部ａ ,ａ ,ａ ,…を設けた、図１Ａに示す前後の折込み板１ ,１であって、図１に示すように、左上面板６と側面貼着片８ ,８を連設した左側面板４と底面板３と側面貼着片８ ,８を連設した右側面板４と右上面板７とを、それぞれ折り目線( 符号がない１点鎖線、以下同じ )を介して順に連設して、この底面板３の前後辺に、前後の側面板５ ,５と前記の前後の折込み板１ ,１とを、それぞれ折り目線を介して順に連設して、左右の側面板４ ,４の側面貼着片８ ,８ ,８ ,８と前後の側面板５ ,５とを貼着してトレー状に製箱した後に、前記の複数個の貼着部ａ ,ａ ,ａ ,…を設けた前後の折込み板１ ,１を折込んで、左右の上面板６ ,７を被せて、この左右の上面板６ ,７の内面側に、前後の折込み板１ ,１の複数個の貼着部ａ ,ａ ,ａ ,…を貼着したことを特徴とするトップオープン式の紙箱である。
【０００８】
本発明の請求項１に記載のトップオープン式の紙箱においては、左上面板６と側面貼着片８ ,８を連設した左側面板４と底面板３と側面貼着片８ ,８を連設した右側面板４と右上面板７とを、それぞれ折り目線を介して順に連設して、この底面板３の前後辺に、前後の側面板５ ,５と、表面側に、少なくとも表面層を切断した円形状などの半切れ線で区画した( 市販の巻取りラップフィルムの収容紙箱などに広く採用されている )、それぞれ複数個の貼着部ａ ,ａ ,ａ ,…を設けた前後の折込み板１ ,１とを、それぞれ折り目線を介して順に連設した、図１Ａに示すトップオープン式の紙箱のブランクであって、左右の側面板４ ,４の側面貼着片８ ,８ ,８ ,８と前後の側面板５ ,５とを貼着してトレー状に製箱した後に、図１Ｂに示すように、前記の複数個の貼着部ａ ,ａ ,ａ ,…を設けた前後の折込み板１ ,１を折込んで、図１Ｃに示すように、左右の上面板６ ,７を被せて、この左右の上面板６ ,７の内面側に、前後の折込み板１ ,１の複数個の貼着部ａ ,ａ ,ａ ,…を貼着したことによって、
図１Ｄに示すように、前後の折込み板１ ,１の複数個の貼着部ａ ,ａ ,ａ ,…の、円形状などの半切れ線で切断した少なくとも表面層が層間剥離を起して、この層間剥離を起した表面層を上面板６ ,７の内面側に貼着したまま、僅かな抵抗で左右の上面板６ ,７と前後の折込み板１ ,１とを剥がすことができる、この上面板６ ,７を左右に広く開放することができるために、また折込み板１ ,１を前後に開放することができるために、収容した商品を顧客が取出し易い、しかも上面板６ ,７を左右に広く開放する新規形状の、収容した商品を顧客へアピールする展示効果などが優れたトップオープン式の紙箱を得ることができる。
【０００９】
加えて、本発明の請求項２に記載のトップオープン式の紙箱は、前述した請求項１に記載のトップオープン式の紙箱において、図１に示すように、底面板３の前後辺に、逆台形状の前後の側面板５ ,５と前記の前後の折込み板１ ,１とを、それぞれ折り目線を介して順に連設したことを特徴とするトップオープン式の紙箱である。
【００１０】
本発明の請求項２に記載のトップオープン式の紙箱においては、前述した図１Ｄに示すように、前後の折込み板１ ,１の複数個の貼着部ａ ,ａ ,ａ ,…の、円形状などの半切れ線で切断した少なくとも表面層が層間剥離を起して、この層間剥離を起した表面層を上面板６ ,７の内面側に貼着したまま、僅かな抵抗で左右の上面板６ ,７と前後の折込み板１
,１とを剥がすことができる、収容した商品を顧客が取出し易い、しかも収容した商品を顧客へアピールする展示効果などが優れたトップオープン式の紙箱において、底面板３の前後辺に、逆台形状の前後の側面板５ ,５と前記の前後の折込み板１ ,１とを、それぞれ折り目線を介して順に連設したことによって、
図１Ｂ ,Ｃ ,Ｄに示すように、前後の側面板５ ,５が高級感や美粧性などが優れた逆台形状( 逆テーパー状とも言う )の、収容した商品を顧客へアピールする展示効果などがさらに優れたトップオープン式の紙箱を得ることができる。
【００１１】
また、本発明の請求項３に記載のトップオープン式の紙箱は、前後の折込み片２１ ,２
１と左右の上面貼着片２２ ,２２とを、左右の上面貼着片２２ ,２２の間は空隙開口ｃを介して、それぞれ切れ目線ｄ ,ｄを介して連設して成る、図２Ａ ,図３Ａに示す上面内板２であって、図２ ,図３ ,図４ ,図５に示すように、左上面板６と側面貼着片８ ,８を連設した左側面板４と底面板３と側面貼着片８ ,８を連設した右側面板４と右上面板７とを、それぞれ折り目線を介して順に連設して、この底面板３の前後辺に、前側面板５と折込み貼着片９とを、また後側面板５と前記の上面内板２とを、それぞれ折り目線を介して順に連設して、左右の側面板４ ,４の側面貼着片８ ,８ ,８ ,８と前後の側面板５ ,５とを貼着してトレー状に製箱した後に、前記の前後の折込み片２１ ,２１と左右の上面貼着片２２ ,２２とを連設して成る上面内板２を被せて、この上面内板２の( 図２Ａ ,図３Ａでは後部の )前折込み片２１と折込み貼着片９とを貼着して、また左右の上面板６ ,７を被せて、この左右の上面板６ ,７の内面側に、上面内板２の左右の上面貼着片２２ ,２２を貼着したことを特徴とするトップオープン式の紙箱である。
【００１２】
本発明の請求項３に記載のトップオープン式の紙箱においては、左上面板６と側面貼着片８ ,８を連設した左側面板４と底面板３と側面貼着片８ ,８を連設した右側面板４と右上面板７とを、それぞれ折り目線を介して順に連設して、この底面板３の前後辺に、前側面板５と折込み貼着片９とを、また後側面板５と、前後の折込み片２１ ,２１と左右の上面貼着片２２ ,２２とを、左右の上面貼着片２２ ,２２の間は空隙開口ｃ( 狭い幅の切れ目や直線状の切れ目線でも良い )を介して、それぞれ切れ目線ｄ ,ｄを介して連設して成る上面内板２とを、それぞれ折り目線を介して順に連設した、図２Ａ ,図３Ａに示すトップオープン式の紙箱のブランクであって、左右の側面板４ ,４の側面貼着片８ ,８ ,８ ,８と前後の側面板５ ,５とを貼着してトレー状に製箱した後に、図４Ａ ,図５Ａに示すように、前記の前後の折込み片２１ ,２１と左右の上面貼着片２２ ,２２とを連設して成る上面内板２を被せて、この上面内板２の前折込み片２１と折込み貼着片９とを貼着して、また図２Ｂ ,図３Ｂに示すように、左右の上面板６ ,７を被せて、この左右の上面板６ ,７の内面側に、上面内板２の左右の上面貼着片２２ ,２２を貼着したことによって、
図２Ｃ ,図３Ｃに示すように、前後の折込み片２１ ,２１と左右の上面貼着片２２ ,２２とを、左右の上面貼着片２２ ,２２の間は空隙開口ｃを介して連設した切れ目線ｄ ,ｄが切断して、この切り離された上面貼着片２２ ,２２を上面板６ ,７の内面側に貼着したまま、僅かな抵抗で左右の上面板６ ,７を開放することができる、この上面板６ ,７を左右に広く開放することができるために、また折込み片２１ ,２１を前後に開放することができるために、収容した商品を顧客が取出し易い、しかも上面板６ ,７を左右に広く開放する新規形状の、収容した商品を顧客へアピールする展示効果などが優れたトップオープン式の紙箱を得ることができる。
【００１３】
また加えて、本発明の請求項４に記載のトップオープン式の紙箱は、前述した請求項３に記載のトップオープン式の紙箱において、図３ ,図５に示すように、底面板３の前後辺に、逆台形状の前側面板５と折込み貼着片９とを、また逆台形状の後側面板５と前記の上面内板２とを、それぞれ折り目線を介して順に連設したことを特徴とするトップオープン式の紙箱である。
【００１４】
本発明の請求項４に記載のトップオープン式の紙箱においては、前述した図２Ｃ ,図３Ｃに示すように、前後の折込み片２１ ,２１と左右の上面貼着片２２ ,２２とを、左右の上面貼着片２２ ,２２の間は空隙開口ｃを介して連設した切れ目線ｄ ,ｄが切断して、この切り離された上面貼着片２２ ,２２を上面板６ ,７の内面側に貼着したまま、僅かな抵抗で左右の上面板６ ,７を開放することができる、収容した商品を顧客が取出し易い、しかも収容した商品を顧客へアピールする展示効果などが優れたトップオープン式の紙箱において、底面板３の前後辺に、逆台形状の前側面板５と折込み貼着片９とを、また逆台形状の後側面板５と前記の上面内板２とを、それぞれ折り目線を介して順に連設したことによって、
図３Ｂ ,Ｃ ,図５Ａ ,Ｂに示すように、前側面板５と後側面板５とが高級感や美粧性などが優れた逆台形状( 逆テーパー状とも言う )の、収容した商品を顧客へアピールする展示効果などがさらに優れたトップオープン式の紙箱を得ることができる。
【００１５】
さらに加えて、本発明の請求項５に記載のトップオープン式の紙箱は、前述した請求項１から請求項４のどれかに記載のトップオープン式の紙箱において、図１ ,図３ ,図５に示すように、左上面板６と側面貼着片８ ,８を連設した左側面板４と底面板３と側面貼着片８ ,８を連設した右側面板４と凸状湾曲辺ｂを有する右上面板７とを、それぞれ折り目線を介して順に連設して、この左上面板６の、左右の上面板６ ,７を被せた時の右上面板７の凸状湾曲辺ｂに相当する位置に、凸状辺ｆを有する繋止開口ｅを設けたことを特徴とするトップオープン式の紙箱である。
【００１６】
本発明の請求項５に記載のトップオープン式の紙箱においては、前述した図１Ｄに示すように、前後の折込み板１ ,１の複数個の貼着部ａ ,ａ ,ａ ,…の、円形状などの半切れ線で切断した少なくとも表面層が層間剥離を起して、この層間剥離を起した表面層を上面板６ ,７の内面側に貼着したまま、僅かな抵抗で左右の上面板６ ,７と前後の折込み板１
,１とを剥がすことができる、また前述した図２Ｃ ,図３Ｃに示すように、前後の折込み片２１ ,２１と左右の上面貼着片２２ ,２２とを、左右の上面貼着片２２ ,２２の間は空隙開口ｃを介して連設した切れ目線ｄ ,ｄが切断して、この切り離された上面貼着片２２
,２２を上面板６ ,７の内面側に貼着したまま、僅かな抵抗で左右の上面板６ ,７を開放することができる、それぞれ収容した商品を顧客が取出し易い、しかも収容した商品を顧客へアピールする展示効果などが優れたトップオープン式の紙箱において、左上面板６と側面貼着片８ ,８を連設した左側面板４と底面板３と側面貼着片８ ,８を連設した右側面板４と凸状湾曲辺ｂを有する右上面板７とを、それぞれ折り目線を介して順に連設して、この左上面板６の、左右の上面板６ ,７を被せた時の右上面板７の凸状湾曲辺ｂに相当する位置に、凸状辺ｆを有する繋止開口ｅを設けたことによって、
図５Ｂに示すように、それぞれ収容した商品を顧客が取出す途中などで、再び左右の上面板６ ,７を被せて、左上面板６の繋止開口ｅの凸状辺ｆの下面側に、右上面板７の凸状湾曲辺ｂを挿入して繋止して、簡単に閉蓋することができるトップオープン式の紙箱を得ることができる。
【発明の効果】
【００１７】
以上、本発明のトップオープン式の紙箱においては、菓子ケーキ類や玩具装飾品などを収容する、板紙製や段ボール紙製などの、僅かな抵抗で左右の上面板６ ,７と前後の折込み板１ ,１とを剥がすことができる、また僅かな抵抗で左右の上面板６ ,７を開放することができる、それぞれ上面板６ ,７を左右に広く開放することができるために、また折込み板１ ,１又は折込み片２１ ,２１を前後に開放することができるために、収容した商品を顧客が取出し易い、しかも上面板６ ,７を左右に広く開放する新規形状の、収容した商品を顧客へアピールする展示効果などが優れたトップオープン式の紙箱を提供することができる。
【００１８】
また、表面にジッパーミシン線等を用いて不正開封を防止した場合と比較した場合であっても、本発明は上面板を閉じてしまえば開封後が直接は見えないために美麗さによる高級感があるという優位性がある。しかも、本発明のトップオープン式の紙箱においては、前後の折込み板１ ,１の複数個の貼着部ａ ,ａ ,ａ ,…の、円形状などの半切れ線で切断した少なくとも表面層が層間剥離を起して、この層間剥離を起した表面層を上面板６ ,７の内面側に貼着したまま、僅かな抵抗で左右の上面板６ ,７と前後の折込み板１ ,１とを剥がすことができるために、また前後の折込み片２１ ,２１と左右の上面貼着片２２ ,２２とを、左右の上面貼着片２２
,２２の間は空隙開口ｃを介して連設した切れ目線ｄ ,ｄが切断して、この切り離された
上面貼着片２２ ,２２を上面板６ ,７の内面側に貼着したまま、僅かな抵抗で左右の上面板６ ,７を開放することができるために、収容した菓子ケーキ類や玩具装飾品などに対して、不正や悪事などを防止することができる、顧客が始めて開封したことを認識できる封緘性( バージン性とも言う )を有するトップオープン式の紙箱を提供することができる。
【発明を実施するための最良の形態】
【００１９】
以下、実施例に示すとおりである。
【実施例１】
【００２０】
図１Ａは、本発明の実施例１における、トップオープン式の紙箱のブランクの平面図であって、図１Ｂ ,Ｃは、トップオープン式の紙箱の製箱工程を示す斜視図であって、また図１Ｄは、トップオープン式の紙箱の上面を開放した状態を示す斜視図である。
【００２１】
すなわち、左上面板６と側面貼着片８ ,８を連設した左側面板４と底面板３と側面貼着片８ ,８を連設した右側面板４と凸状湾曲辺ｂを有する右上面板７とを、それぞれ折り目線を介して順に連設して、この底面板３の前後辺に、逆台形状の前後の側面板５ ,５と前後の折込み板１ ,１とを、それぞれ折り目線を介して順に連設して、また前後の折込み板１ ,１の表面側に、少なくとも表面層を切断した１０ｍｍφの円形状の半切れ線で区画した、それぞれ４個の貼着部ａ ,ａ ,ａ ,ａを設けて、加えて左上面板６の、左右の上面板６ ,７を被せた時の右上面板７の凸状湾曲辺ｂに相当する位置に、凸状辺ｆを有する繋止開口ｅを設けた、図１Ａに示すトップオープン式の紙箱のブランクであって、表面に美麗な印刷をした３５０ｇ／ｍ2 の裏白コートボール紙を用いて、通常の打抜型を用いた打抜工程で、上面の縦 ,横が９０×１２５ｍｍ( 下面の縦 ,横が９０×１００ｍｍ )で高さが５０ｍｍのトップオープン式の紙箱のブランクを作製した。
【００２２】
次に、通常の接着剤を用いた製箱工程で、図１Ａに示すトップオープン式の紙箱のブランクの、全ての符号がない１点鎖線で示す折り目線を山折りして、左右の側面板４ ,４の側面貼着片８ ,８ ,８ ,８と逆台形状の前後の側面板５ ,５とを貼着してトレー状に製箱して、菓子ケーキ類や玩具装飾品などを収容した後に、図１Ｂに示すように、表面側に、少なくとも表面層を切断した１０ｍｍφの円形状の半切れ線で区画した、それぞれ４個の貼着部ａ ,ａ ,ａ ,ａを設けた前後の折込み板１ ,１を折込んで、通常のホットメルト式の製箱工程で、左右の上面板６ ,７を被せて、この左右の上面板６ ,７の内面側に、前後の折込み板１ ,１の４個の貼着部ａ ,ａ ,ａ ,ａを貼着して、図１Ｃに示す実施例１のトップオープン式の紙箱を作製した。
【００２３】
本発明の実施例１のトップオープン式の紙箱においては、図１Ｄに示すように、前後の折込み板１ ,１の４個の貼着部ａ ,ａ ,ａ ,ａの、１０ｍｍφの円形状の半切れ線で切断した少なくとも表面層が層間剥離を起して、この層間剥離を起した表面層を上面板６ ,７の内面側に貼着したまま、僅かな抵抗で左右の上面板６ ,７と前後の折込み板１ ,１とを剥がすことができる、この上面板６ ,７を左右に広く開放することができるために、また折込み板１ ,１を前後に開放することができるために、収容した商品を顧客が取出し易い、しかも上面板６ ,７を左右に広く開放する新規形状の、前後の側面板５ ,５が高級感や美粧性などが優れた逆台形状の、収容した商品を顧客へアピールする展示効果などが優れたトップオープン式の紙箱を得ることができた。
【００２４】
加えて、本発明の実施例１のトップオープン式の紙箱においては、左上面板６の、左右の上面板６ ,７を被せた時の右上面板７の凸状湾曲辺ｂに相当する位置に、凸状辺ｆを有する繋止開口ｅを設けたことによって、収容した商品を顧客が取出す途中などで、再び左右の上面板６ ,７を被せて、左上面板６の繋止開口ｅの凸状辺ｆの下面側に、右上面板７の凸状湾曲辺ｂを挿入して繋止( 図５Ｂを参照 )して、簡単に閉蓋することができるトッ
プオープン式の紙箱を得ることができた。
【実施例２】
【００２５】
図２Ａは、本発明の実施例２における、トップオープン式の紙箱のブランクの平面図であって、図２Ｂ ,Ｃは、トップオープン式の紙箱を製箱した状態と上面を開放した状態とを示す斜視図である。また図４Ａ ,Ｂは、実施例２のトップオープン式の紙箱における、製箱途中の状態と再び閉蓋した状態とを示す斜視図である。
【００２６】
すなわち、前後の折込み片２１ ,２１と左右の上面貼着片２２ ,２２とを、左右の上面貼着片２２ ,２２の間は空隙開口ｃを介して、それぞれ切れ目線ｄ ,ｄを介して連設して成る上面内板２であって、左上面板６と側面貼着片８ ,８を連設した左側面板４と底面板３と側面貼着片８ ,８を連設した右側面板４と右上面板７とを、それぞれ折り目線を介して順に連設して、この底面板３の前後辺に、前側面板５と折込み貼着片９とを、また後側面板５と前記の上面内板２とを、それぞれ折り目線を介して順に連設した、図２Ａに示すトップオープン式の紙箱のブランクであって、実施例１と同様に、表面に美麗な印刷をした３１０ｇ／ｍ2 の裏白コートボール紙を用いて、通常の打抜型を用いた打抜工程で、縦
,横 ,高さが９０×１２０×５０ｍｍのトップオープン式の紙箱のブランクを作製した。
【００２７】
次に、通常の接着剤を用いた製箱工程で、図２Ａに示すトップオープン式の紙箱のブランクの、全ての符号がない１点鎖線で示す折り目線を山折りして、実施例１と同様に、左右の側面板４ ,４の側面貼着片８ ,８ ,８ ,８と前後の側面板５ ,５とを貼着してトレー状に製箱して、菓子ケーキ類や玩具装飾品などを収容した後に、図４Ａに示すように、前記の前後の折込み片２１ ,２１と左右の上面貼着片２２ ,２２とを連設して成る上面内板２を被せて、通常のホットメルト式の製箱工程で、この上面内板２の前折込み片２１と折込み貼着片９とを貼着して、また左右の上面板６ ,７を被せて、この左右の上面板６ ,７の内面側に、上面内板２の左右の上面貼着片２２ ,２２を貼着して、図２Ｂに示す実施例２のトップオープン式の紙箱を作製した。
【００２８】
本発明の実施例２のトップオープン式の紙箱においては、図２Ｃに示すように、前後の折込み片２１ ,２１と左右の上面貼着片２２ ,２２とを、左右の上面貼着片２２ ,２２の間は空隙開口ｃを介して連設した切れ目線ｄ ,ｄが切断して、この切り離された上面貼着片２２ ,２２を上面板６ ,７の内面側に貼着したまま、僅かな抵抗で左右の上面板６ ,７を開放することができる、実施例１と同様に、この上面板６ ,７を左右に広く開放することができるために、また折込み片２１ ,２１を前後に開放することができるために、収容した商品を顧客が取出し易い、しかも上面板６ ,７を左右に広く開放する新規形状の、収容した商品を顧客へアピールする展示効果などが優れたトップオープン式の紙箱を得ることができた。
【００２９】
しかも、本発明の実施例２のトップオープン式の紙箱においては、切り離された上面貼着片２２ ,２２を上面板６ ,７の内面側に貼着したまま、僅かな抵抗で左右の上面板６ ,７を開放することができるために、図４Ｂに示すように、収容した商品を顧客が取出す途中などで、再び左右の上面板６ ,７を被せて、左上面板６と内面側に貼着した上面貼着片２２との間に、右上面板７の右辺を挿入するなどして繋止して、簡単に閉蓋することができるトップオープン式の紙箱を得ることができた。
【実施例３】
【００３０】
図３Ａは、本発明の実施例３における、トップオープン式の紙箱のブランクの平面図であって、図３Ｂ ,Ｃは、トップオープン式の紙箱を製箱した状態と上面を開放した状態とを示す斜視図である。また図５Ａ ,Ｂは、実施例３のトップオープン式の紙箱における、製箱途中の状態と再び閉蓋した状態とを示す斜視図である。
【００３１】
すなわち、前後の折込み片２１ ,２１と左右の上面貼着片２２ ,２２とを、左右の上面貼着片２２ ,２２の間は空隙開口ｃを介して、それぞれ切れ目線ｄ ,ｄを介して連設して成る、実施例２と同様の上面内板２であって、左上面板６と側面貼着片８ ,８を連設した左側面板４と底面板３と側面貼着片８ ,８を連設した右側面板４と凸状湾曲辺ｂを有する右上面板７とを、それぞれ折り目線を介して順に連設して、この底面板３の前後辺に、逆台形状の前側面板５と折込み貼着片９とを、また逆台形状の後側面板５と前記の上面内板２とを、それぞれ折り目線を介して順に連設して、加えて左上面板６の、左右の上面板６
,７を被せた時の右上面板７の凸状湾曲辺ｂに相当する位置に、凸状辺ｆを有する繋止開口ｅを設けた、図３Ａに示すトップオープン式の紙箱のブランクであって、実施例１ ,実施例２と同様に、表面に美麗な印刷をした３５０ｇ／ｍ2 の裏白コートボール紙を用いて、通常の打抜型を用いた打抜工程で、実施例１と同一寸法の上面の縦 ,横が９０×１２５ｍｍ( 下面の縦 ,横が９０×１００ｍｍ )で高さが５０ｍｍのトップオープン式の紙箱のブランクを作製した。
【００３２】
次に、通常の接着剤を用いた製箱工程で、図３Ａに示すトップオープン式の紙箱のブランクの、全ての符号がない１点鎖線で示す折り目線を山折りして、実施例１ ,実施例２と同様に、左右の側面板４ ,４の側面貼着片８ ,８ ,８ ,８と逆台形状の前後の側面板５ ,５とを貼着してトレー状に製箱して、菓子ケーキ類や玩具装飾品などを収容した後に、図５Ａに示すように、前記の前後の折込み片２１ ,２１と左右の上面貼着片２２ ,２２とを連設して成る上面内板２を被せて、通常のホットメルト式の製箱工程で、実施例２と同様に、この上面内板２の前折込み片２１と折込み貼着片９とを貼着して、また左右の上面板６ ,７を被せて、この左右の上面板６ ,７の内面側に、上面内板２の左右の上面貼着片２２ ,２２を貼着して、図３Ｂに示す実施例３のトップオープン式の紙箱を作製した。
【００３３】
本発明の実施例３のトップオープン式の紙箱においては、図３Ｃに示すように、前後の折込み片２１ ,２１と左右の上面貼着片２２ ,２２とを、左右の上面貼着片２２ ,２２の間は空隙開口ｃを介して連設した切れ目線ｄ ,ｄが切断して、この切り離された上面貼着片２２ ,２２を上面板６ ,７の内面側に貼着したまま、僅かな抵抗で左右の上面板６ ,７を開放することができる、実施例１ ,実施例２と同様に、この上面板６ ,７を左右に広く開放することができるために、また折込み片２１ ,２１を前後に開放することができるために、収容した商品を顧客が取出し易い、しかも上面板６ ,７を左右に広く開放する新規形状の、前側面板５と後側面板５とが高級感や美粧性などが優れた逆台形状の、収容した商品を顧客へアピールする展示効果などが優れたトップオープン式の紙箱を得ることができた。
【００３４】
加えて、本発明の実施例３のトップオープン式の紙箱においては、実施例１と同様に、左上面板６の、左右の上面板６ ,７を被せた時の右上面板７の凸状湾曲辺ｂに相当する位置に、凸状辺ｆを有する繋止開口ｅを設けたことによって、図５Ｂに示すように、収容した商品を顧客が取出す途中などで、再び左右の上面板６ ,７を被せて、左上面板６の繋止開口ｅの凸状辺ｆの下面側に、右上面板７の凸状湾曲辺ｂを挿入して繋止して、簡単に閉蓋することができるトップオープン式の紙箱を得ることができた。
【図面の簡単な説明】
【００３５】
【図１】本発明の実施例１における、図１Ａは、トップオープン式の紙箱のブランクの平面図であって、図１Ｂ ,Ｃは、トップオープン式の紙箱の製箱工程を示す斜視図であって、また図１Ｄは、トップオープン式の紙箱の上面を開放した状態を示す斜視図である。
【図２】本発明の実施例２における、図２Ａは、トップオープン式の紙箱のブランクの平面図であって、図２Ｂ ,Ｃは、トップオープン式の紙箱を製箱した状態と上面を開放した状態とを示す斜視図である。
【図３】本発明の実施例３における、図３Ａは、トップオープン式の紙箱のブランクの平面図であって、図３Ｂ ,Ｃは、トップオープン式の紙箱を製箱した状態と上面を開放した状態とを示す斜視図である。
【図４】実施例２のトップオープン式の紙箱における、図４Ａ ,Ｂは、製箱途中の状態と再び閉蓋した状態とを示す斜視図である。
【図５】実施例３のトップオープン式の紙箱における、図５Ａ ,Ｂは、製箱途中の状態と再び閉蓋した状態とを示す斜視図である。
【図６】図６Ａ ,Ｂは、従来のトップオープン式の紙箱の斜視図である。
【図７】図７Ａ ,Ｂは、従来のトップオープン式の紙箱の斜視図である。
【符号の説明】
【００３６】
１          …折込み板
２          …上面内板
２１        …折込み片
２２        …上面貼着片
３          …底面板
４ ,５      …側面板
６ ,７      …上面板
８          …側面貼着片
９          …折込み貼着片
３０        …上面蓋板 ,上面板
３１        …折込み板
３２        …上面内板
３３        …底面板
３４ ,３５  …側面板
３６        …側面蓋板
ａ          …貼着部
ｂ          …凸状湾曲辺
ｃ          …空隙開口
ｄ          …切れ目線
ｅ          …繋止開口
ｆ          …凸状辺
ｇ          …つまみ
【図１】
2005186982.tif 000003
【図２】
2005186982.tif 000004
【図３】
2005186982.tif 000005
【図４】
2005186982.tif 000006
【図５】
2005186982.tif 000007
【図６】
2005186982.tif 000008
【図７】
2005186982.tif 000009